(57)【要約】【課題】遊技盤交換時の着脱作業や配線作業が簡単な遊技機を提供する。【解決手段】遊技機本体枠内の一方のサイド近傍に支柱４１を回動可能に立設し、この支柱４１に、遊技盤２０を上下から挟んで保持する一対のガイドレール４２、４３の一端部を固定し、他端側から遊技盤２０を挿脱可能にする。支柱４１にはさらに、遊技盤２０と電気的な接続を得るための接続コネクタ４４が、その挿脱方向をガイドレール４２、４３への遊技盤２０の挿脱方向と同じになるようにして設けてある。支柱４１を回動させることで、ガイドレール４２、４３に保持された遊技盤２０が遊技機本体枠内に収容された状態と扉状に手前に開いた状態とに変位する。また、ガイドレールの奥まで遊技盤２０を挿入するだけで電気的接続が完了する。【選択図】図４
2007029119.tif 000002
【特許請求の範囲】
【請求項１】
遊技機本体枠内の一方のサイド近傍に支柱を回動可能に立設し、
遊技盤を上下から挟んで保持する一対のガイドレールを前記支柱に固定しかつ該ガイドレールの一方の端部から遊技盤を挿脱可能にすると共に、遊技盤と電気的な接続を得るための接続コネクタをその挿脱方向が前記ガイドレールへの遊技盤の挿脱方向と同じになる向きにして前記支柱に設け、
前記一対のガイドレールに保持された遊技盤が遊技機本体枠内に収容された状態と手前に開いた状態とに前記支柱を中心に回動して変位でき、かつ前記一対のガイドレールに遊技盤を所定の挿入完了位置まで挿入したときに該遊技盤側の接続コネクタと前記支柱に設けた接続コネクタとが接続されるようにした
ことを特徴とする遊技機。
【請求項２】
前記支柱に設けた接続コネクタを、該支柱に沿ってスライド移動させて位置調整可能にした
ことを特徴とする請求項１に記載の遊技機。
【請求項３】
前記一対のガイドレールの遊技盤挿脱側の端部が、遊技盤を上下から挟持する挟持位置とこれよりも広がった開放位置とに変位し、かつ遊技盤を外したときに前記遊技盤挿脱側の端部が前記開放位置となるように付勢部材で付勢すると共に、挿入された遊技盤が当接することで前記遊技盤挿脱側の端部を前記挟持位置に戻す当接部材を設けた
ことを特徴とする請求項１または２に記載の遊技機。
【請求項４】
前記遊技盤に搭載した複数の回路基板からの配線を、該配線同士でノイズの影響を受けないように複数の群に分けて前記遊技盤の接続コネクタに予め配線してある
ことを特徴とする請求項１、２または３に記載の遊技機。
【請求項５】
前記遊技盤の接続コネクタは中継基板に設けてあり、前記複数の回路基板からの配線は前記中継基板を介して前記接続コネクタに接続されている
ことを特徴とする請求項４に記載の遊技機。
【発明の詳細な説明】
【技術分野】
【０００１】
本発明は、遊技機本体から遊技盤を着脱可能な遊技機に関する。
【背景技術】
【０００２】
一般にパチンコ機などの遊技機は、遊技盤のほかに遊技球の払い出しなどに関する機構部を有しているが、該機構部は遊技内容が変わっても共通に使用できるので、多くの機種では遊技盤のみを交換可能に構成されている。通常、遊技機は、遊技機本体を遊技機本体枠に収め、遊技機島に固定される外枠の前面にこの遊技機本体枠を扉状に開閉可能に取り付けて構成してある。そして遊技盤を交換するときは、遊技機本体枠を手前に開いて、その背面側から遊技盤を着脱したり、遊技盤の前面を覆う透明なガラス板などが嵌め込まれた金枠（ガラス枠）を扉状に開放して、遊技盤を手前側から着脱したりしていた。また着脱の際には、重たい遊技盤を握持しながら遊技機本体の所定の位置にセットして該遊技盤を止め金具で固定したり、遊技盤を支えながら止め金具を緩めて取り外したりする作業を伴っていた。
【０００３】
このような着脱に係わる作業性を高めるために、遊技機本体枠裏面側の一側部に遊技盤の挿入口を設けると共に、この挿入口から横方向に延びるガイド面を設け、該ガイド面に沿って横方向に摺動させることで遊技盤を挿脱できるようにした遊技機が開示されている（たとえば、特許文献１参照。）。
【０００４】
【特許文献１】特開平８−１８２８３５号公報
【発明の開示】
【発明が解決しようとする課題】
【０００５】
特許文献１に開示された遊技機のように挿入口から遊技盤を挿脱する方式では、遊技盤の背面には電気部品が突出しているので、これらの電気部品と挿入口との衝突を回避するために挿入口の一部に切欠きを設けたりしなければならず、充分な強度を確保することが難しい。さらに遊技機本体枠裏面の一方側に設けた挿入口から遊技盤を挿脱するためには、重たい遊技機本体枠を開放しなければならなかった。
【０００６】
また、遊技盤の交換作業には、遊技盤自体の着脱作業のほかに、遊技盤が有する複数の回路基板と遊技機本体側との間を電気的に接続するための配線作業もある。従来この配線作業は、手順書などを参考に何本もの配線を行なわなければならず、多大な労力を要していた。また、電源ラインと制御信号線とを束ねてしまうなどのように作業者による配線の引き回しが不適当な場合にはノイズの影響を受けて動作が不安定になる虞もあった。
【０００７】
本発明は、上記の問題を解決しようとするものであり、遊技盤交換時の着脱作業や配線作業が簡単な遊技機を提供することを目的としている。
【課題を解決するための手段】
【０００８】
上記の目的は以下に示す各構成の発明により達成される。
【０００９】
請求項１に係わる発明は、遊技機本体枠（１２）内の一方のサイド近傍に支柱（４１）を回動可能に立設し、
遊技盤（２０）を上下から挟んで保持する一対のガイドレール（４２、４３）を前記支柱（４１）に固定しかつ該ガイドレール（４２、４３）の一方の端部から遊技盤（２０）を挿脱可能にすると共に、遊技盤（２０）と電気的な接続を得るための接続コネクタ（４４）をその挿脱方向が前記ガイドレールへの遊技盤（２０）の挿脱方向と同じになる向きにして前記支柱（４１）に設け、
前記一対のガイドレール（４２、４３）に保持された遊技盤（２０）が遊技機本体枠（１２）内に収容された状態と手前に開いた状態とに前記支柱（４１）を中心に回動して変位でき、かつ前記一対のガイドレール（４２、４３）に遊技盤（２０）を所定の挿入完了位置まで挿入したときに該遊技盤（２０）側の接続コネクタ（３１）と前記支柱（４１）に設けた接続コネクタ（４４）とが接続されるようにした
ことを特徴とする遊技機である。
【００１０】
上記発明によれば、遊技機本体枠（１２）内の一方のサイド近傍に支柱（４１）を回動可能に立設し、この支柱（４１）に、遊技盤（２０）を上下から挟んで保持する一対のガイドレール（４２、４３）を固定し、このガイドレール（４２、４３）の一方の端部から遊技盤（２０）を挿脱可能になっている。支柱（４１）にはさらに、遊技盤（２０）と電気的な接続を得るための接続コネクタ（４４）が、その挿脱方向をガイドレール（４２、４３）への遊技盤（２０）の挿脱方向と同じになるようにして設けてある。支柱（４１）を回動させることで、一対のガイドレール（４２、４３）に保持された遊技盤（２０）は遊技機本体枠（１２）内に収容された状態と扉状に手前に開いた状態とに変位する。
【００１１】
したがって、金枠（ガラス枠）を開けてから支柱（４１）を中心に遊技盤（２０）を扉状に手前に開いた状態に回動させれば、ガイドレール（４２、４３）の手前側の端部から遊技盤（２０）を挿脱することができる。また、支柱（４１）に設けた接続コネクタ（４４）は、一対のガイドレール（４２、４３）に遊技盤（２０）を所定の挿入完了位置まで挿入したときに該遊技盤（２０）側の接続コネクタ（３１）と接続されるように配置されているので、遊技盤（２０）を装着すれば配線作業が同時に完了する。ガイドレール（４２、４３）は、遊技盤（２０）の横幅全長にわたる長さを備えてもよいし、遊技盤（２０）の横幅より短くし、該ガイドレールの存する部分だけで遊技盤（２０）を保持するようにしてもよい。
【００１２】
請求項２に係わる発明は、前記支柱（４１）に設けた接続コネクタ（４４）を、該支柱（４１）に沿ってスライド移動させて位置調整可能にした
ことを特徴とする請求項１に記載の遊技機である。
【００１３】
上記発明によれば、支柱（４１）に設けた接続コネクタ（４４）を該支柱（４１）に沿ってスライド移動させることで、接続コネクタ（３１）の位置が異なる複数種類の遊技盤（２０）に対応可能になる。
【００１４】
請求項３に係わる発明は、前記一対のガイドレール（４２、４３）の遊技盤挿脱側の端部（４２ｂ）が、遊技盤（２０）を上下から挟持する挟持位置とこれよりも広がった開放位置とに変位し、かつ遊技盤（２０）を外したときに前記遊技盤挿脱側の端部（４２ｂ）が前記開放位置となるように付勢部材（４２ｅ）で付勢すると共に、挿入された遊技盤（２０）が当接することで前記遊技盤挿脱側の端部（４２ｂ）を前記挟持位置に戻す当接部材（４２ｄ）を設けた
ことを特徴とする請求項１または２に記載の遊技機である。
【００１５】
上記発明によれば、前記一対のガイドレール（４２、４３）の遊技盤挿脱側の端部（４２ｂ）は、遊技盤（２０）を上下から挟持する挟持位置とこれよりも広がった開放位置とに変位すると共に、遊技盤（２０）を外したときには付勢部材（４２ｅ）で付勢されて開放位置になる。したがって、遊技盤（２０）を装着するときは自然に開放位置になっており、ガイドレール（４２、４３）に対する遊技盤（２０）の位置合わせが容易になる。また、遊技盤（２０）をガイドレール（４２、４３）に挿入すると、該挿入した遊技盤（２０）が当接部材（４２ｄ）に当接し、該当接部材（４２ｄ）の作用により、遊技盤挿脱側の端部（４２ｂ）が挟持位置へ自動的に復帰する。これにより、支柱（４１）を回動させて遊技機本体枠（１２）内に遊技盤（２０）を収めるときにはガイドレール（４２ｂ）が挟持位置となって余計な広がりがないので、遊技機本体枠（１２）内への収納を円滑に行なうことができる。
【００１６】
請求項４に係わる発明は、前記遊技盤（２０）に搭載した複数の回路基板からの配線（１５０）を、該配線（１５０）同士でノイズの影響を受けないように複数の群（１５０ａ、１５０ｂ）に分けて前記遊技盤の接続コネクタ（３１）に予め配線してある
ことを特徴とする請求項１、２または３に記載の遊技機である。
【００１７】
上記発明によれば、遊技盤（２０）に搭載した複数の回路基板からの配線（１５０）は、これらの配線同士でノイズの影響を受けないように複数の群（１５０ａ、１５０ｂ）に分けて予め遊技盤（２０）の接続コネクタ（３１）に配線されている。たとえば、電源系の配線（１５０ａ）と制御信号系の配線（１５０ｂ）、アナログ信号系の配線とデジタル信号系の配線のようにグループ分けされて配線される。
【００１８】
請求項５に係わる発明は、前記遊技盤（２０）の接続コネクタ（３１）は中継基板（１４０）に設けてあり、前記複数の回路基板（１００、１１０…）からの配線（１５０ａ、１５０ｂ）は前記中継基板（１４０）を介して前記接続コネクタ（３１）に接続されている
ことを特徴とする請求項４に記載の遊技機である。
【００１９】
上記発明によれば、遊技盤（２０）にある複数の回路基板（１００、１１０…）からの配線（１５０ａ、１５０ｂ）は中継基板（１４０）を介して接続コネクタ（３１）に接続される。接続コネクタ（３１）に直接配線する場合に比べて、中継基板（１４０）を介することで複数の回路基板（１００、１１０…）からの多数の配線を容易に接続コネクタ（３１）に接続することができる。
【発明の効果】
【００２０】
本発明に係わる遊技機によれば、ガイドレールに沿って簡単に遊技盤を装着できると共に、挿入完了位置まで遊技盤を挿入するだけで遊技盤側と遊技機本体側との電気的な配線作業も同時に完了するので、遊技盤の交換を簡単に行なうことができる。また、支柱を中心にガイドレールを回動させて遊技盤を扉状に手前に開くことができるので、金枠（ガラス枠）を開いて遊技機の手前から遊技盤を交換でき、重たい遊技機本体枠を開く必要がなく、作業効率が向上する。
【００２１】
また、遊技盤に搭載された複数の回路基板からの配線を、該配線同士でノイズの影響を受けないように複数の群に分けて遊技盤の接続コネクタに予め配線したので、作業者による不適当な配線の引き回しが原因でノイズの影響を受けるようなことが無くなり、誰が遊技盤を交換しても、安定した遊技盤の動作が確保される。
【発明を実施するための最良の形態】
【００２２】
以下、図面に基づき本発明の実施の形態を説明する。
【００２３】
図１から図３は本実施の形態に係わる遊技機１０の外観を示している。遊技機１０は、一般にパチンコ機と称される遊技装置である。図２に示すように遊技機１０は、遊技機島に固定される外枠１１と、外枠１１の左前縁部に設けたヒンジ１１ａに軸支されて扉状に開閉可能な遊技機本体枠１２とを備えている。遊技機本体枠１２の背面には、遊技盤や遊技球の払い出し装置などの機構部品や回路部品が取り付けてあり、遊技機本体枠１２を開くことで、背面からこれらの機構部品や回路部品を保守点検できるようになっている。
【００２４】
図１および図３に示すように、遊技機本体枠１２の前面には、透明なガラス板１３を嵌め込んだ金枠（ガラス枠）１４が扉状に開放可能に設けてあり、該金枠１４の奥手に遊技盤２０が収容されている。金枠１４の前面下部には貸出球や払出球を貯留する上受け皿１５が設けてある（図１参照）。また遊技機本体枠１２の前面下部には、金枠１４を閉じた状態で上受け皿１５の真下となる位置に、該上受け皿１５から溢れた遊技球を貯留する下受け皿１６が設置され、その右横には遊技球の発射操作を行なうためのハンドル１７が設けてある。
【００２５】
図３に示すように、遊技盤２０には、発射された遊技球を遊技領域２１へ導くための誘導レール２２や、遊技領域２１を流下する遊技球の進路に変化を与える図示省略の多数の釘や風車、各種の入賞口２３、液晶ディスプレイ等で構成された特賞用役物としての可変表示装置２５、いずれの各種の入賞口２３にも入賞しなかった遊技球を機外に排出するためのアウト口２４などが配置されている。遊技盤２０は、遊技機本体枠１２に対して着脱可能に取り付けられている。
【００２６】
図４は、遊技盤２０の着脱機構部４０の概略構成を示している。着脱機構部４０は、遊技機本体枠１２内の一方のサイド近傍に回動可能に立設された支柱４１と、遊技盤２０を上下から挟んで保持する一対のガイドレール４２、４３と、遊技盤２０側のコネクタ３１と電気的な接続を得るための接続コネクタ４４とを有している。一対のガイドレール４２、４３は、断面下向きコの字状の上ガイドレール４２と、断面上向きコの字状の下ガイドレール４３とから成る。各ガイドレール４２、４３はその長手方向の一方の端部（終端側）が支柱４１に固定されると共に、他方の端部（先端側）から遊技盤２０を挿脱可能に構成されている。
【００２７】
詳細には、各ガイドレール４２、４３の終端側は、挿入された遊技盤２０が突き当たるように封鎖され、先端側は端面がコの字状のまま開放されて遊技盤２０を出し入れ可能になっている。接続コネクタ４４は、その挿脱方向がガイドレール４２、４３への遊技盤２０の挿脱方向（矢印Ａ）と同じになる向きにして支柱４１に設けてある。また接続コネクタ４４は、支柱４１に沿って上下（矢印Ｂ）にスライド移動させて位置調整可能になっている。接続コネクタ４４は高さ調整部材４５に下方から支持されており、高さ調整部材４５を上下させることで接続コネクタ４４を位置調整するようになっている。
【００２８】
図５は、上ガイドレール４２の構成をより詳細に示したものである。図５（ａ）は上ガイドレール４２の斜視外観を示し、図５（ｂ）〜図５（ｄ）は上ガイドレール４２をレールの幅方向中心で長手方向に沿って切断した断面を示している。同図に示すように、上ガイドレール４２は支柱４１に取り付ける基端部４２ａと、該基端部４２ａに連結された先端部４２ｂとに分かれている。基端部４２ａと先端部４２ｂとは互いの上面をヒンジ４２ｃで連結してあり、先端部４２ｂは、基端部４２ａと一直線状になって遊技盤２０を上下から挟持する挟持位置（図５（ｄ））と、先端（遊技盤挿脱側の端部）がこれよりも広がるように傾斜した開放位置（図５（ｂ））とに変位可能になっている。
【００２９】
断面下向きコの字状を成す先端部４２ｂの内側の天井面には、該天井面を基端部４２ａ側へ延長する平板状の当接部材４２ｄが設けてある。また当接部材４２ｄの基端部４２ａ側の端部近傍と基端部４２ａの天井面との間には、前記当接部材４２ｄの基端部４２ａ側端部を下方に付勢する付勢部材４２ｅが設けてある。ここでは付勢部材４２ｅとして板バネを使用している。
【００３０】
付勢部材４２ｅで当接部材４２ｄを付勢することにより、遊技盤２０が一対のガイドレール４２、４３から外れているときは図５（ｂ）に示すように先端部４２ｂが開放位置になる。したがって、図５（ｃ）に示すように、遊技盤２０を装着するときは先端部４２ｂが開放位置になっており、ガイドレール４２、４３に対する遊技盤２０の位置合わせが容易になる。また、遊技盤２０をガイドレール４２、４３に挿入すると、図５（ｄ）に示すように、該挿入した遊技盤２０の上端が当接部材４２ｄに当接し、該当接部材４２ｄが遊技盤２０の上端面に沿うように変位し、これに伴って先端部４２ｂがヒンジ４２ｃを中心に回転して挟持位置になる。
【００３１】
図６は、高さ調整部材４５の構成を示しており、図６（ａ）は高さ調整部材４５の平面図、図６（ｂ）は正面図、図６（ｃ）は図６（ａ）のＣ−Ｃ矢視断面図である。高さ調整部材４５は、長方形のブロック４５ａの中央に支柱４１を通すための穴部４５ｂが形成されている。該穴部４５ｂの対面する２つの内壁には内側へ突起した突起部材４５ｃが対向するように設けてある。突起部材４５ｃは弾性を有しており、常時は断面三角形状を成し、先端が強く押圧されると潰れて変形し、該押圧が解除されると元の形状に復元するように構成されている。
【００３２】
図７は高さ調整部材４５と支柱４１との嵌合状態を示し、図７（ａ）は嵌合部を拡大視したものである。図７（ａ）、（ｂ）に示すように、支柱４１の側面には、高さ調整部材４５の突起部材４５ｃと対応するように溝部４１ａが一定のピッチで設けてあり、突起部材４５ｃの先端が溝部４１ａに嵌り込むことで高さ調整部材４５が支柱４１に対して上下方向に位置決めされる。高さ調整部材４５を上下に移動させると、隣り合う溝部４１ａの間の位置では突起部材４５ｃの先端形状が潰れて変形し、溝部４１ａの正面に来ると三角形状が復元して溝部４１ａに再び嵌り込むようになっている。したがって、高さ調整部材４５および接続コネクタ４４は溝部４１ａのピッチを単位に上下に位置調整することができる。
【００３３】
図８は、金枠１４および遊技盤２０を取り外した状態の遊技機１０の正面を示している。着脱機構部４０は支柱４１を中心に回動して、ガイドレール４２、４３の遊技盤挿入側の端部および接続コネクタ４４の挿入口が斜め手前を向いた状態になっている。
【００３４】
図９は、遊技盤２０を着脱する様子を示している。着脱機構部４０は支柱４１を中心に回動するように遊技機本体枠１２に取り付けられているので、遊技盤２０は、図９（ａ）に示すように、ガイドレール４２、４３に保持されて遊技機本体枠１２内に収容された状態と、図９（ｂ）に示すように、支柱４１を軸に回動させて扉状に手前に開いた状態とに変位する。なお、図９（ｂ）に示すように手前に開くときは、図３に示すように金枠１４を予め開いてから作業する。
【００３５】
図９（ｃ）に示すように、遊技盤２０を扉状に手前に開いた状態で該遊技盤２０を矢印Ａ方向にスライド移動させることにより、遊技盤２０を遊技機本体枠１２の着脱機構部４０に対して着脱することができる。このように、金枠１４を開いて遊技機１０の手前側から遊技盤２０を交換することができるので、重たい遊技機本体枠１２を開いて該遊技機本体枠１２の裏面側から遊技盤を交換する場合に比べて、作業効率が向上する。
【００３６】
なお、図４や図５（ｂ）に示すように、装着時には上ガイドレール４２の先端部４２ｂが付勢部材４２ｅに付勢されて開放位置に開いているので、ガイドレール４２、４３に対する遊技盤２０の位置合わせが容易になる。また、遊技盤２０をガイドレール４２、４３に沿って挿入すると、遊技盤２０が当接部材４２ｄに当接し、これにより先端部４２ｂが挟持位置に自動復帰するので、先端部４２ｂを作業者がいちいち動かす手間がなく、作業性が向上する。さらに、支柱４１を中心に着脱機構部４０を回動させて遊技盤２０を遊技機本体枠１２内に収めるときには上ガイドレール４２の先端部４２ｂが挟持位置に自動的に戻っているので、余計な広がりや出っ張りがなく、遊技盤２０を遊技機本体枠１２の中へ円滑に収めることができる。
【００３７】
また遊技盤２０をガイドレール４２、４３に沿って挿入完了位置（遊技盤２０がガイドレール４２、４３の終端に突き当たる位置）まで挿入すると、遊技盤２０側のコネクタ３１と着脱機構部４０側の接続コネクタ４４とが自然に嵌合して電気的に接続されるので、電気配線を別途接続する手間もない。ここで、遊技盤２０側のコネクタ３１の高さが遊技盤２０の種類によって異なる場合でも、着脱機構部４０側の高さ調整部材４５を移動させることで遊技盤２０側のコネクタ３１に合わせて接続コネクタ４４の高さを位置調整することができ、多様な遊技盤２０に対応することができる。なお、遊技盤２０側のコネクタのピン数（サイズ）が種々存在する場合には、想定される最大ピン数に合わせて接続コネクタ４４側のピン数を設定しておけばよい。
【００３８】
次に、遊技機１０の回路構成および電気配線について説明する。図１０は、遊技盤２０側の回路構成を示している。遊技盤２０には、回路基板として、主基板１００と、演出制御基板１１０と、ランプ中継基板１２０と、盤用外部端子板１３０と、中継基板１４０とが搭載される。
【００３９】
主基板１００は、遊技機１０全体の動作を制御する機能を果たし、ＣＰＵ（中央処理装置）、ＲＯＭ（リード・オンリ・メモリ）、ＲＡＭ（ランダム・アクセス・メモリ）を主要部として構成されている。また、遊技球の入賞を検知するスイッチなど各種のスイッチ１０１から検知信号を入力したり、他の制御基板へ各種の制御データを出力したり、入賞口２３の開閉するソレノイド１０２等へ駆動信号を出力したりする機能を備えている。
【００４０】
演出制御基板１１０は、主基板１００から受信した制御データに基づいてスロットマシンに見立てた遊技を可変表示装置２５上に可変表示する機能を果たす。すなわち、受信した制御データに従って画像データを作成し、これを可変表示装置２５に出力して表示させる機能を果たす。演出制御基板１１０は、所定の演出処理手順（プログラム）や画像制御データを予め記憶したＲＯＭ、プログラムを実行するＣＰＵ、ＲＡＭ、画像制御ＩＣ、表示用の画像データを記憶したＲＯＭ、主基板１００との間の入出力インターフェース等から構成される。
【００４１】
ランプ中継基板１２０は、演出制御基板１１０が出力する点灯制御信号に係わる配線を遊技盤２０に配置された各種装飾ランプに中継接続するための基板である。中継基板１４０は、遊技盤２０に搭載した各基板からの配線を、遊技盤２０のコネクタ３１に中継する機能を果たす。図９（ｃ）に示すように、遊技盤２０の背面には、主基板１００や演出制御基板１１０、ランプ中継基板１２０、中継基板１４０など各種の回路基板が搭載されている。また、中継基板１４０の一側端にはカードエッジ型のコネクタ３１となる端子が形成されている。中継基板１４０は、遊技盤２０に搭載した他の回路基板１００、１１０、１２０、１３０との間の各種配線１５０が接続されるコネクタ１４１を有している。コネクタ１４１の各端子とコネクタ３１の該当する端子とは中継基板１４０内のプリント配線パターンで接続されている。
【００４２】
遊技盤２０に搭載した複数の回路基板からの多数の配線１５０は、該配線同士でノイズの影響を受けないように複数の群に分けて中継基板１４０のコネクタ１４１に予め配線されている。ここでは、図１１に示すように、電源系の配線群１５０ａと制御信号系の配線群１５０ｂとに分けて配線してある。すなわち、電源系の配線１５０ａと制御信号系の配線１５０ｂとが交差したり近接したりしないように、予めこれらの配線を遊技盤２０内で引き回して配線を完了させてある。
【００４３】
図１２は、遊技機本体枠１２の背面に取り付けられた本体側回路の概略構成を示している。本体側には、電源基板２００、払出制御基板２１０、枠用外部端子板２２０、発射制御基板２３０、カードユニット接続基板２４０などが搭載されており、遊技盤２０側の各回路基板１００、１１０、１２０、１３０に接続すべき制御信号線や電源ラインは支柱４１に設けた接続コネクタ４４に接続されている。
【００４４】
したがって、図９（ｃ）に示すようにして着脱機構部４０のガイドレール４２、４３に沿って遊技盤２０を挿入完了位置まで挿入すれば、中継基板１４０のコネクタ３１と着脱機構部４０側の接続コネクタ４４とが電気的に接続されて本体側の各回路基板と遊技盤２０側の各回路基板とが電気的に接続され、作業者が別途、配線を引き回したりする必要はない。また、遊技盤２０に搭載した複数の回路基板１００、１１０、１２０、１３０からの配線１５０を、該配線同士でノイズの影響を受けないように複数の群１５０ａ、１５０ｂに分けて中継基板１４０に予め配線してあるので、作業者による不適当な配線の引き回しが原因でノイズの影響を受けるようなことが無くなり、誰が遊技盤を交換しても、安定した遊技盤の動作が確保される。
【００４５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４６】
たとえば、配線を群に分ける際の分け方は、実施の形態で例示したものに限定されず、ノイズの影響が互いに生じるような配線を異なる群に分ければよい。たとえば、アナログ信号の配線とデジタル信号の配線とを異なる群に分けてもよい。また、電源線は高電圧と低電圧とを別の群に分けてもよい。このようにすれば、配線同士のノイズの影響をより効果的に排除することができる。
【００４７】
実施の形態では、接続コネクタ４４やコネクタ３１を１つにしたが、複数のコネクタに分けてもよい。特に配線を群に分けた場合と同じ群に分かれるように複数のコネクタを使用するとよい。
【００４８】
実施の形態では、中継基板１４０の端部をコネクタ３１としたが、接続コネクタ４４およびこれに接続するコネクタのタイプはカードエッジ型に限定されず、勘合式のコネクタや、スライド移動させることで挿脱可能なコネクタであればよい。
【００４９】
また実施の形態では、上ガイドレール４２の先端部４２ｂに当接部材４２ｄを設けたが、上ガイドレール４２自体が当接部材４２ｄの機能を兼ねるように構成してもよい。たとえば、基端部４２ａと先端部４２ｂとを分けずに上ガイドレール４２を一体型にし、その長手方向の途中に設けた支持部を回転中心として揺動するように上ガイドレール４２を支持し、かつ上ガイドレール４２の先端（遊技盤挿脱側端部）が上向きとなるようにバネなどで付勢する構成にすれば、上ガイドレール４２自体が当接部材４２ｄの機能を兼ねるようになる。すなわち、ガイドレールに遊技盤２０を挿入すると、遊技盤２０が支持部を越えたところで上ガイドレール４２に遊技盤２０が当接し、上ガイドレール４２自体が回転して遊技盤２０と平行となって挟持位置に変位する。
【００５０】
このほか、接続コネクタ４４を上下に位置調整する機構は、実施の形態に例示したものに限定されず、たとえば、接続コネクタ４４を無段階の自由な位置にスライドできるようにしておき、接続コネクタ４４側に設けた螺子を支柱４１に締め付けることで任意の位置に接続コネクタ４４を固定できるように構成してもよい。
【００５１】
着脱機構部４０に設けた一対のガイドレール４２、４３の長さは、実施の形態で例示したものに限定されず、より長いレールを用いてもよい。特に、下ガイドレール４３だけでも長くすれば、装着作業が容易になる。また、ガイドレール４２、４３を支柱４１に固定する箇所は、ガイドレール４２、４３の終端近傍が好ましいが、ガイドレールが短ければ、長手方向中央付近でも先端に近い箇所でもかまわない。
【図面の簡単な説明】
【００５２】
【図１】本発明の実施の形態に係わる遊技機を示す斜視図である。
【図２】本発明の実施の形態に係わる遊技機の遊技機本体枠を開いた状態を示す斜視図である。
【図３】本発明の実施の形態に係わる遊技機の金枠を開いた状態を示す斜視図である。
【図４】遊技盤の着脱機構部の概略構成を示す説明図である。
【図５】上ガイドレールの構成および動作を示す説明図である。
【図６】高さ調整部材の構成を示す説明図である。
【図７】高さ調整部材と支柱との嵌合状態を示す説明図である。
【図８】金枠および遊技盤を取り外した状態の遊技機を示す正面図である。
【図９】遊技盤を着脱する様子を模擬的に示す説明図である。
【図１０】遊技盤側の回路構成を示すブロック図である。
【図１１】遊技盤における配線の引き回し状態を示す説明図である。
【図１２】遊技機本体側の回路構成を示すブロック図である。
【符号の説明】
【００５３】
１０…遊技機
１１…外枠
１１ａ…ヒンジ
１２…遊技機本体枠
１３…ガラス板
１４…金枠
１５…上受け皿
１６…下受け皿
１７…ハンドル
２０…遊技盤
２１…遊技領域
２２…誘導レール
２３…各種の入賞口
２４…アウト口
２５…可変表示装置
３１…コネクタ
４０…着脱機構部
４１…支柱
４１ａ…溝部
４２…上ガイドレール
４２ａ…基端部
４２ｂ…先端部
４２ｃ…ヒンジ
４２ｄ…当接部材
４２ｅ…付勢部材
４３…下ガイドレール
４４…接続コネクタ
４５…高さ調整部材
４５ａ…ブロック
４５ｂ…穴部
４５ｃ…突起部材
１００…主基板
１０１…スイッチ
１０２…ソレノイド
１１０…演出制御基板
１２０…ランプ中継基板
１３０…盤用外部端子板
１４０…中継基板
１４１…コネクタ
１５０…配線
１５０ａ…電源系の配線群
１５０ｂ…制御信号系の配線群
２００…電源基板
２１０…払出制御基板
２２０…枠用外部端子板
２３０…発射制御基板
２４０…カードユニット接続基板
【図１】
2007029119.tif 000003
【図２】
2007029119.tif 000004
【図３】
2007029119.tif 000005
【図４】
2007029119.tif 000006
【図５】
2007029119.tif 000007
【図６】
2007029119.tif 000008
【図７】
2007029119.tif 000009
【図８】
2007029119.tif 000010
【図９】
2007029119.tif 000011
【図１０】
2007029119.tif 000012
【図１１】
2007029119.tif 000013
【図１２】
2007029119.tif 000014